(57)【要約】【課題】本考案は、良いアガキの状態を確保できると共にその調整も容易で、長期間の使用に対しても設定したアガキを安定して維持することが可能な眼鏡用蝶番及びそれを備えた眼鏡フレームを提供するものである。【解決手段】蝶番は、連結部材３０ａ、３０ｂをネジ３９により締め付けて連結されて構成される。連結部材３０ａにはコマ３３が一体に設けられており、連結部材３０ｂにはコマ３５，３７が一体に設けられており、リン青銅からなるワッシャ４０，４１がコマ３３の孔３４に嵌め込まれている。コマ３３をコマ３５及び３７の間に嵌合してネジ３９で締め付ける。【選択図】　　　　図２
0003098746.tif 000002
【実用新案登録請求の範囲】
【請求項１】
レンズを保持する枠体にテンプル部を折り畳み自在に連結する眼鏡用蝶番において、前記枠体に固着される第一連結部材と前記テンプル部に固着される第二連結部材を連結し、第一連結部材及び第二連結部材の互いに対向する摺動面の間にリン青銅からなるワッシャを装着していることを特徴とする眼鏡用蝶番。
【請求項２】
前記ワッシャは、薄板で形成されていることを特徴とする請求項１に記載の眼鏡用蝶番。
【請求項３】
前記第一連結部材と前記第二連結部材とはネジにより連結されていることを特徴とする請求項１又は２に記載の眼鏡用蝶番。
【請求項４】
ネジの挿着方向の幅が１．４ｍｍから６ｍｍであることを特徴とする請求項３に記載の眼鏡用蝶番。
【請求項５】
請求項１から４のいずれかに記載の眼鏡用蝶番を一体として備えていることを特徴とする眼鏡フレーム。
【考案の詳細な説明】
【０００１】
【考案の属する技術分野】
本考案は、ネジを用いた蝶番に関し、特にテンプル部の折り畳み操作が良好な眼鏡用蝶番及びそれを備えた眼鏡フレームに関する。
【０００２】
【従来の技術】
従来より眼鏡では、耳に掛けるテンプル部を折り畳めるようにして、眼鏡をケースに保管する場合等に取扱いが容易になるようにしている。テンプル部の折り畳みをスムーズに行うために、テンプル部は蝶番を介して取り付けられている。蝶番は、テンプル部が折り畳まれた状態に保たれるように摺動部分にある程度の摩擦力が必要であるが、テンプル部の開閉動作は、スムーズに行われなければならない。
【０００３】
テンプル部の開閉動作の滑らかさの程度を「アガキ」と称しているが、蝶番を構成する連結部材同士をネジにより締め付けてアガキを調整している。ネジを強く締め付けるとテンプル部が折り畳まれた状態を安定して保持することができるが、アガキが悪くなり、テンプル部の開閉操作を円滑に行うことが困難になる。また、ネジを緩めると、アガキが良くなり、テンプル部の開閉操作が円滑になるが、折り畳み状態を保持しづらくなる。したがって、ネジによるアガキの調整は折り畳み状態の保持についても念頭におきながら行う必要があり、また、左右のテンプル部を同じアガキの程度にすることも必要である。さらに、テンプル部の開閉操作を何回か繰り返すと、蝶番にネジの緩みや連結部材の摺動部分に削りカスが発生して一定のアガキを維持することが困難になることがある。
【０００４】
そこで、例えば、特開平６−１３０３３２号公報では、蝶番に用いるワッシャとして、表面に固体潤滑剤を含有した樹脂コーティング層を施した金属製ワッシャが記載されており、特開平６−５９２１９号公報には、潤滑剤を含むポリイミド樹脂粉末を圧縮プレスと焼成処理により成形された多孔性材料からなるワッシャが記載されている。いずれも潤滑剤によりアガキを円滑に行えると共に摩耗を抑えることを意図している。また、実開平７−３４４２９号公報には、導電性を有するフッ素樹脂からなる導電性ワッシャが記載されており、特開平６−３２３３２５号公報には、金属製ワッシャ素材に潤滑性物質を適量配合したメッキ液中でメッキさせ、表面にメッキ層を形成したワッシャが記載されている。いずれも眼鏡フレーム全体のメッキに対応可能とすることを意図している。
【０００５】
【考案が解決しようとする課題】
以上の先行文献では、ワッシャの表面に樹脂層やメッキ層を形成するといった複雑な工程を必要とし、非常にコストがかかる。また、こうした層を形成すると、長年の使用により摩耗や剥離により層自体が消滅するおそれもある。
【０００６】
近年眼鏡フレームの軽量化が進み、フレーム自体の材料として軽い材料が選択され、また、形状もより薄く幅の小さくなってきている。こうした眼鏡フレームの変化に対応して蝶番も全体の形状を小型化し幅についても小さくなってきている。したがって、ワッシャについても薄くする必要があり、また、蝶番の連結部材が小さくなるとネジの締め付けに対して弱くなり、締め付け程度のわずかな違いによりアガキが変化し、調整が難しくなってくる。
【０００７】
そこで、本考案は、良いアガキの状態を確保できると共にその調整も容易で、長期間の使用に対しても設定したアガキを安定して維持することが可能な眼鏡用蝶番及びそれを備えた眼鏡フレームを提供するものである。
【０００８】
【課題を解決するための手段】
本考案に係る眼鏡用蝶番は、レンズを保持する枠体にテンプル部を折り畳み自在に連結する眼鏡用蝶番において、前記枠体に固着される第一連結部材と前記テンプル部に固着される第二連結部材を連結し、第一連結部材及び第二連結部材の互いに対向する摺動面の間にリン青銅からなるワッシャを装着していることを特徴とする。さらに、前記第一連結部材と前記第二連結部材とはネジにより連結されていることを特徴とする。さらに、ネジの挿着方向の幅が１．４ｍｍから６ｍｍであることを特徴とする。
【０００９】
本考案に係る眼鏡フレームは、上記の眼鏡用蝶番を一体として備えていることを特徴とする。
【００１０】
ワッシャをリン青銅から構成することで、耐摩耗性、耐疲労性が良くなり、第一連結部材及び第二連結部材の締め付けを強くしてもアガキを確保することでき、テンプル部の折り畳み状態を安定して維持すると共にアガキを良くすることが可能となる。そして、長期間の使用に対してもネジの緩みや連結部材との摺動面での摩耗の発生することがなく、設定されたアガキが安定して維持される。また、ネジの締め付けを強くしてもアガキが確保できるためアガキの調整が容易で、左右のテンプル部の同じアガキに設定することも容易にできる。
【００１１】
そして、リン青銅の地金だけで構成されるので、展延性や被削性が良好なことからプレス加工や切削加工等により簡単に製造することができ、厚みを薄くすることが可能となる。また、メッキを行うこともでき、耐熱性や耐酸性も有していることから、眼鏡フレームへの取り付け加工の際にも容易に行うことができる。
【００１２】
ネジの装着方向の幅が１．４ｍｍから６ｍｍの幅の小さい蝶番の場合には、上述したようにネジの締め付けに対して連結部材が弱くなり、締め付け程度のわずかな違いによりアガキが変化しやすいが、リン青銅からなるワッシャを用いることで締め付けが強くなってもアガキが確保できるようになり、またワッシャ自体の厚みが薄いので蝶番の小型化をさらに可能とする。特に、眼鏡フレーム自体の幅が小さくなってくると、フレーム自体の強度が弱くなるため、アガキが悪いとテンプル部を開閉操作する際にテンプル部が変形したり、最悪の場合は折れてしまうこともあるが、リン青銅からなるワッシャを用いることでこうした問題も防止できる。
【００１３】
そして、蝶番が一体となった眼鏡フレームにも蝶番に上記のリン青銅からなるワッシャを用いたものを使用することでアガキが良く、またアガキの良い状態を安定して維持できる眼鏡フレームとすることが可能となる。
【００１４】
【考案の実施の形態】
以下、本考案を添付図面に示す実施形態に基づいて詳しく説明する。なお、以下に説明する実施形態は、本考案を実施するにあたって好ましい具体例であるから、技術的に種々の限定がなされているが、本考案は、以下の説明において特に本考案を限定する旨明記されていない限り、これらの形態に限定されるものではない。
【００１５】
図１は、眼鏡に関する平面図である。図２は、図１に用いられる蝶番を分解した斜視図である。
【００１６】
図１において、レンズ枠体１の左端部にはテンプル部２ａが蝶番３ａを介して取り付けられており、右端部にはテンプル部２ｂが蝶番３ｂを介して取り付けられている。レンズ枠体１は、左右２つのレンズ１０ａ、１０ｂを保持するリム１１ａ、１１ｂと、リム１１ａ及び１１ｂを連結するブリッジ１２と、リム１１ａ、１１ｂに固着されたヨロイ部１３ａ、１３ｂとからなり、蝶番３ａ、３ｂは、それぞれヨロイ部１３ａ、１３ｂに固着されている。また、リム１１ａ、１１ｂには、鼻に係止するための鼻パッド１４ａ、１４ｂがそれぞれ取り付けられている。テンプル部２ａ、２ｂには、耳に掛けるためのモダン１５ａ、１５ｂがそれぞれ挿着されている。テンプル部及びレンズ枠体はチタン等の金属で成形されており、モダンはシリコン系の樹脂からなる。
【００１７】
蝶番３ａ、３ｂは、図２に示すように、連結部材３０ａ、３０ｂをネジ３９により締め付けて構成される。連結部材３０ａ、３０ｂは、チタン等の金属から成形されており、それぞれ台座３１、３２がテンプル部又はヨロイ部にロウ付けにより固着される。連結部材３０ａは、台座３１にコマ３３が一体となって設けられており、コマ３３の中央部分には円形の孔３４が形成されている。連結部材３０ｂは、台座３２にコマ３５、３７が一体となって設けられており、コマ３５及び３７にはそれぞれ円形の孔３６及び３８が形成されている。コマ３５とコマ３７の間にはコマ３３が嵌合されるだけの間隙が空けられており、コマ３３が嵌装された状態で、孔３４、３６及び３８の中心軸は、同軸上に配列されるようになる。孔３４の上下にはリン青銅からなるワッシャ４０、４１が嵌合される。ワッシャ４０及び４１は、ドーナツ状の円板の孔の周囲が折り曲げられて筒状に嵌合部４２が突設されている。それぞれ嵌合部４２を孔３４にはめ込むことでワッシャ４０、４１を取り付けた後、コマ３３をコマ３５及び３７の間に嵌装して同軸上に配列された孔３４、３６及び３８にネジ３９を挿着して締め付け、連結部材３０ａ及び３０ｂを連結する。この状態で、ワッシャ４０はコマ３３及びコマ３５の互いに対向する摺動面の間に挟持され、ワッシャ４１はコマ３３及びコマ３７の互いに対向する摺動面の間に挟持される。
【００１８】
テンプル部を開閉操作すると、リン青銅からなるワッシャ４０及び４１を介して連結部材３０ａ、３０ｂが摺動するので、滑らかに回動し、削りカス等が発生することがない。また、蝶番のネジ３９の挿着方向の幅が６ｍｍ以下になると、コマ３５及び３７の厚みが薄くなり、ネジの締め付けに対して弱くなるため、ネジの締め付け程度によりアガキが変化しやすいが、リン青銅からなるワッシャ４０及び４１により強く締め付けてもアガキを確保することができる。また、左右の蝶番でネジの締め付けの程度が異なっていても、一定のアガキが確保できるので、左右の調整が容易である。
【００１９】
ワッシャに用いるリン青銅は、Ｃｕ−Ｓｎ−Ｐ系の合金で、その組成は、Ｓｎ３〜９％、Ｐ０．０３〜０．３５％、Ｃｕ９１〜９７％の範囲で設定される。展延性、耐疲労性、耐摩耗性に優れており、板材でのプレス加工や棒材での切削加工でワッシャに加工することが可能である。また、展延性に優れているため厚みを薄くすることも可能で０．０５〜０．１ｍｍ程度の厚さにすることもできる。したがって、蝶番全体のネジの挿着方向の厚みを薄くすることができ、１．４ｍｍ程度に設定することが可能である。このように、蝶番を薄くできると、テンプル部やレンズ枠体を細幅にして軽量化しても十分対応することが可能となる。そして、リン青銅にはニッケル（Ｎｉ）が含まれていないので、眼鏡装着時等に問題となるニッケルアレルギーが生じることがない。
【００２０】
図２の蝶番で連結部材３０ａ、３０ｂをチタンで成形し、ネジの挿着方向の厚みを１．６ｍｍとし、０．１ｍｍの厚みでリン青銅からなるワッシャを用いたものを眼鏡フレームに固着してテンプル部を５，０００回開閉操作した。その結果ネジの緩みは生じることなく、当初設定したアガキが維持されていた。連結部材のコマには、摺動による削りカス等は発生していなかった。同様の蝶番にリン青銅のワッシャの代わりに洋白からなるワッシャを用いて潤滑油を予め注入させたものについてテンプル部を開閉操作させると、５００回程度でネジの緩みが発生して、テンプル部の折り曲げ状態を保持できなくなった。また、ネジを緩まないように締め付けて行うと、摩耗して削りカスが詰まりテンプル部のアガキが悪くなった。このように、リン青銅からなるワッシャは、潤滑油等を注入しなくても良いアガキの状態を安定して維持することができる。
【００２１】
以上のことから、リン青銅からなるワッシャを用いることで、従来のものに比べて格段に長い期間にわたって安定したアガキを維持するとともに潤滑油の注入等の作業も不要となる。
【００２２】
また、上記の実施形態では、ネジを用いた蝶番について説明したが、蝶番が一体化した眼鏡フレームでも、リン青銅からなるワッシャを用いることができる。例えば、テンプル部の端部に蝶番の一方の連結部材を形成し、対応するヨロイ部の端部に蝶番の他方の連結部材を形成して、両者を連結する際に対向する摺動面の間にリン青銅からなるワッシャを装着すれば上述したようにアガキの良い状態を確保できる。
【００２３】
【考案の効果】
以上に説明したとおり、本考案に係る眼鏡用蝶番は、耐摩耗性、耐疲労性が良くなり、第一連結部材及び第二連結部材の締め付けを強くしてもアガキを確保することでき、テンプル部の折り畳み状態を安定して維持すると共にアガキを良くすることが可能となる。そして、長期間の使用に対してもネジの緩みや連結部材との摺動面での摩耗の発生することがなく、設定されたアガキが安定して維持される。また、ネジの締め付けを強くしてもアガキが確保できるためアガキの調整が容易で、左右のテンプル部の同じアガキに設定することも容易にできる。
【００２４】
そして、リン青銅の地金だけで構成されるので、展延性や被削性が良好なことからプレス加工や切削加工等により簡単に製造することができ、厚みを薄くすることが可能となる。また、メッキを行うこともでき、耐熱性や耐酸性も有していることから、眼鏡フレームへの取り付け加工の際にも容易に行うことができる。
【００２５】
ネジの装着方向の幅が１．４ｍｍから６ｍｍの幅の小さい蝶番の場合には、上述したようにネジの締め付けに対して連結部材が弱くなり、締め付け程度のわずかな違いによりアガキが変化しやすいが、リン青銅からなるワッシャを用いることで締め付けが強くなってもアガキが確保できるようになり、またワッシャ自体の厚みが薄いので蝶番の小型化をさらに可能とする。特に、眼鏡フレーム自体の幅が小さくなってくると、フレーム自体の強度が弱くなるため、アガキが悪いとテンプル部を開閉操作する際にテンプル部が変形したり、最悪の場合は折れてしまうこともあるが、リン青銅からなるワッシャを用いることでこうした問題も防止できる。
【図面の簡単な説明】
【図１】本考案に係る蝶番を備えた眼鏡フレームの平面図である。
【図２】図１の蝶番の分解斜視図である。
【符号の説明】
１　　レンズ枠体
２　　テンプル部
３　　蝶番
３０　　連結部材
３９　　ネジ
４０　　ワッシャ
４１　　ワッシャ
【図１】
0003098746.tif 000003
【図２】
0003098746.tif 000004